(57)【要約】【課題】壁における構造体の占める部分を増大させることができる防水パネルを提供する。【解決手段】モルタル１２′で形成された板状部材１２と、コンクリート２０′で形成された板状部材２０と、板状部材１２と板状部材２０との間に挟着固定されたＥＶＡシート１４と、板状部材２０内に配設されたトラス筋１６、補強筋１８、１９と、を備えた。【選択図】図１
2008202304.tif 000002
【特許請求の範囲】
【請求項１】
セメント系材料で形成された第１板状部材と、
セメント系材料で形成された第２板状部材と、
前記第１板状部材と前記第２板状部材の間に挟着固定されたシート状の防水材と、
前記第２板状部材内に配設された剛性部材と、
を備えたことを特徴とする防水パネル。
【請求項２】
前記剛性部材は、前記第２板状部材の前記防水材が配置されていない側の表面から突出した突出部を有する、ことを特徴とする請求項１に記載の防水パネル
【請求項３】
前記防水材は、表面が起毛したエチレン酢酸ビニル樹脂系シートである、ことを特徴とする請求項１又は２に記載の防水パネル。
【請求項４】
前記第１板状部材を形成する前記セメント系材料は、水セメント比が４０％以下である、ことを特徴とする請求項１乃至３の何れかに記載の防水パネル。
【請求項５】
請求項１乃至４の何れかに記載の防水パネルを用いた壁の施工方法であって、
前記防水パネルを型枠として設置し、当該防水パネルの前記第２板状部材側にセメント系材料を打設することを特徴とする壁の施工方法。
【請求項６】
前記壁は、地下壁であることを特徴とする請求項５に記載の壁の施工方法。
【請求項７】
前記壁は、貯水槽の壁であることを特徴とする請求項５に記載の壁の施工方法。
【発明の詳細な説明】
【技術分野】
【０００１】
本発明は、防水パネル、および防水パネルを用いた壁の施工方法に関する。
【背景技術】
【０００２】
コンクリートの壁は、様々な原因（セメントの水和熱、温度変化、乾燥収縮など）によって、亀裂（クラック、ひび割れともいう）の発生することがある。このような壁の亀裂は、美観を損ねるのみでなく、例えば地下壁の場合、地下水が地下室内へと流れ込むことによる漏水の原因ともなる。そこで、漏水を防止するため、片面に透水性を有する防水材を取り付けた板状のパネル（以下、防水パネルと称する）をコンクリート打込みの型枠として用いることにより、防水パネルと一体の壁を施工する方法が提案されている（例えば特許文献１参照）。このようにして壁を施工することにより、型枠の撤去作業が不要となり、さらに防水材を内蔵した壁が形成されることになる。
【特許文献１】特開平５−１７９６４号公報
【発明の開示】
【発明が解決しようとする課題】
【０００３】
前述した防水パネルは型枠として用いるので、コンクリートの打設の際に必要な強度を得るために、所定値以上の厚みを有していることが必要である。  
しかしながら、この防水パネルを型枠に用いて、防水パネルと一体の壁を形成すると、壁内に防水材の層が形成されるため、防水パネルの部分全体が構造体として利用できないことになる。つまり、形成された壁における構造体の占める部分が減少してしまうという問題があった。
【０００４】
本発明は、上記のような課題に鑑みてなされたものであって、その目的は、壁における構造体の占める部分を、従来よりも増大させることが可能な防水パネル、および防水パネルを用いた壁の施工方法を提供することにある。
【課題を解決するための手段】
【０００５】
かかる目的を達成するため、本発明発の防水パネルは、セメント系材料で形成された第１板状部材と、セメント系材料で形成された第２板状部材と、前記第１板状部材と前記第２板状部材の間に挟着固定されたシート状の防水材と、前記第２板状部材内に配設された剛性部材と、を備えたことを特徴とする。このような防水パネルによれば、第１板状部材を薄く形成することができ、また第２板状部材を構造体として利用できるので、壁における構造体の占める部分を増大させることが可能である。
【０００６】
かかる防水パネルにおいて、前記剛性部材は、前記第２板状部材の前記防水材が配置されていない側の表面から突出した突出部を有する、ことが好ましい。このような防水パネルによれば、剛性部材の突出部を壁に埋設させることにより、壁に確実に定着させることが可能である。
【０００７】
かかる防水パネルにおいて、前記防水材は、表面が起毛したエチレン酢酸ビニル樹脂系シートである、ことが好ましい。このような防水パネルによれば、エチレン酢酸ビニル樹脂系シートの起毛部分にセメント系材料のセメントの成分が浸込んで毛を掴んで固まるので、セメント系材料と強い付着強度を得ることができる。また、エチレン酢酸ビニル樹脂系シートは伸び性、及び防水性に優れており、壁に亀裂が発生した場合でも、その亀裂に追随することができ、確実に防水を行うことが可能である。
【０００８】
また、かかる防水パネルにおいて、前記第１板状部材を形成する前記セメント系材料は、水セメント比が４０％以下である、ことが好ましい。このような防水パネルによれば、防水パネルの製造の際に、例えば形成型枠に第１板状部材を形成するセメント系材料を流し込んでその上に防水材を配置する場合、セメント粒子の沈降に伴って、水分が上面に集まる現象（ブリージング）の発生を防止でき、防水材と第１板状部材との付着強度を高めることが可能である。
【０００９】
また、かかる目的を達成するため、本発明の防水パネルを用いた壁の施工方法は、前記防水パネルを型枠として設置し、当該防水パネルの前記第２板状部材側にセメント系材料を打設することを特徴とする。このような壁の施工方法によれば、打設したコンクリートに対して、剛性部材が設けられた第２板状部材を介して防水材が配置されることになるので、壁における構造体の占める部分を増大させることが可能である。  
また、かかる壁の施工方法は、地下壁の施工に好適に適用することができる。  
また、かかる壁の施工方法は、貯水槽の壁の施工に好適に適用することができる。
【発明の効果】
【００１０】
本発明によれば、壁における構造体の占める部分を増大させることが可能である。
【発明を実施するための最良の形態】
【００１１】
以下、本発明の実施形態について図面を参照しつつ説明する。
【００１２】
＝＝＝第１実施形態＝＝＝
≪防水パネルの構成≫
図１は、本発明の第１実施形態に係る防水パネル１０の構成を示す図である。なお、防水パネル１０は、正面形状が例えば長方形の板状に形成されている。図１（ａ）は、縦方向（又は横方向）の側面図、図１（ｂ）は、横方向（又は縦方向）の側面図である。
【００１３】
図１（ａ）、（ｂ）に示す防水パネル１０は、主として板状部材１２（第１板状部材）、エチレン酢酸ビニル樹脂系シート（以下ＥＶＡシートと称する）１４、トラス筋１６、補強筋１８、１９、板状部材２０（第２板状部材）を備えている。なお、トラス筋１６、補強筋１８、１９は剛性部材を構成している。
【００１４】
板状部材１２は、セメント系材料（例えば、モルタル）で形成されている。板状部材１２の厚さは、例えば１０ｍｍである。この板状部材１２を形成するセメント系材料には、後述するように、水セメント比が４０％以下のものを使用する。
【００１５】
ＥＶＡシート１４は、伸び率及び防水性に優れたシート状の防水材であり、板状部材１２と板状部材２０との間に挟着固定されている。ＥＶＡシート１４の厚さは、例えば１ｍｍである。
【００１６】
図２は、ＥＶＡシート１４の構造を説明するための図である。図２に示すようにＥＶＡシート１４は、シート本体１４ａと、シート本体１４ａの表面に形成された起毛層１４ｂとを備えている。ＥＶＡシート１４に起毛層１４ｂが形成されていることによって、セメント系材料のセメントの成分が起毛層１４ｂの間に浸込んで毛を掴んで固まるため、セメント系材料との付着強度及び密着性を高めることができる。
【００１７】
トラス筋１６は、図１（ａ）、（ｂ）に示すように、棒状の上弦材１６ａ、上弦材１６ａの側部に上端部が接続された２本の波形状の斜材１６ｂ、斜材１６ｂの下端部と接続された棒状の下弦材１６ｃを備えている。そして、同図に示すように、下弦材１６ｃ及び斜材１６ｂの下部は、第２板状部材２０内に埋設されており、上弦材１６ａ及び斜材１６ｂの上部は、第２板状部材の表面から突出している。以下、トラス筋１６のうち第２板状部材の表面から突出した上弦材１６ａ及び斜材１６ｂの上部を突出部と称する。
【００１８】
板状部材２０は、セメント系材料（例えば、コンクリート）で形成されている。板状部材２０の厚さは、例えば６０ｍｍである。
【００１９】
補強筋１８、１９は、板状部材２０の強度を補強する鉄筋である。補強筋１８、１９は、板状部材２０内において、それぞれ縦方向（又は横方向）、横方向（又は縦方向）に配筋されている。また、補強筋１９上には、トラス筋１６が配置されている。
【００２０】
このように本実施形態の防水パネル１０は、板状部材１２、ＥＶＡシート１４、板状部材２０の３層構造に形成されている。そして、板状部材２０にトラス筋１６、補強筋１８、１９を設けていることにより、板状部材２０を構造体として利用することができ、また板状部材１２の厚さを薄く（例えば１０ｍｍ）形成することが可能となっている。
【００２１】
≪防水パネルの製造方法≫
図３（ａ）〜（ｄ）は、防水パネル１０の製造方法の一例を示す図である。まず、図３（ａ）に示すように、ベニヤ型枠面に突起２１が形成された所定形状の形成型枠２２内に水セメント比が４０％以下のモルタル１２′を流し込む。そして、直ちにモルタル１２′上にＥＶＡシート１４を配置する。
【００２２】
ここで、水セメント比とは、セメントペースト中の水とセメントの質量比を示すものであり、水量をｗ、セメント量をｃとすると、「ｗ／ｃ」の百分率で表される。水セメント比は大きいほど練り混ぜしやすく、型枠にも打ち込みやすいが、その反面強度は低下することになる。一般的な建築用コンクリートでは、水セメント比は、５０〜６５％程度である。形成型枠２２に流し込んだモルタル１２′において、水セメント比が４０％よりも大の場合、セメント粒子の沈降に伴って水分が上面に集まってくる現象（ブリージング）の発生する可能性が高く、ＥＶＡシート１４とモルタル１２′との付着強度が低下する虞がある。そこで、本実施形態では、モルタル１２′に水セメント比が４０％以下（好ましくは３０％）のものを適用している。このように、モルタル１２′として水セメント比が４０％以下のものを適用することによって、ブリージングの発生を防止することができ、モルタル１２′とＥＶＡシート１４との付着強度を高めることが可能となる。
【００２３】
次に、図３（ｂ）に示すように、例えば治具（不図示）を用いてＥＶＡシート１４の上方の所定位置に、トラス筋１６、補強筋１８、１９を配置する。
【００２４】
そして、図３（ｃ）に示すように、コンクリート２０′を形成型枠２２内のＥＶＡシート１４上に打込む。その際、トラス筋１６の上弦材１６ａ、及び斜材１６ｂの上部が、コンクリート２０′から突出するようにしておく。
【００２５】
この状態で例えば１日間養生すると、モルタル１２′、コンクリート２０′によって、板状部材１２、板状部材２０がそれぞれ形成される。そして、養生後、形成型枠２２から脱型を行うことによって、図３（ｄ）に示す防水パネル１０が得られる。
【００２６】
≪壁の施工方法≫
図４（ａ）〜（ｄ）は、本発明の第１実施形態に係る防水パネル１０を用いた壁の施工方法の一例を説明するための図である。この第１実施形態では防水パネル１０を内側型枠として用いて地下壁を施工する場合について説明する。なお、図４において、Ｘ側を外側（室外側）とし、Ｙ側を内側（室内側）とする。
【００２７】
まず、図４（ａ）に示すように、地面に所定深さの穴を掘り、そこに鉄筋（不図示）を配筋した後、図４（ｂ）に示すように、コンクリートを打設し山留壁３０を形成する。
【００２８】
次に、山留壁３０の内側の地面を掘り、図４（ｃ）に示すように、防水パネル１０を、板状部材２０が山留壁３０と対向するように設置する。山留壁３０と防水パネル１０との間の空間（以下、打設空間と称する）には、縦筋３２ａと横筋３２ｂとによって形成される鉄筋３２を配筋する。さらに、山留壁３０と防水パネル１０との間にセパレータ３６を設置する。セパレータ３６の一端側は山留壁３０に埋設されたアンカー３８と接続し、他端側は防水パネル１０のトラス筋１６に接続する。なお、セパレータとは、コンクリートの打設の際に、型枠同士（図４の場合、防水パネル１０と山留壁３０）の間隔を保持するものである。
【００２９】
図５及び図６は、防水パネル１０とセパレータ３６の設置状態の一例を示す拡大側面図である。図５、図６に示すように、セパレータ３６の端部（前記他端）を、防水パネル１０のトラス筋１６の上弦材１６ａに、例えば溶接によって接続する。このように、防水パネル１０はトラス筋１６を有しているので、セパレータ３６との接続の作業を容易に行うことができる。
【００３０】
また、隣接する防水パネル１０間には、図５に示すように、防水パネル１０を組み立てた後、弾性を有する詰め物であるバックアップ材５０を押し込み、さらに、バックアップ材５０をストッパとしてシーリング材５２を設けるようにする。
【００３１】
これらの設置が終わった後、図４（ｄ）に示すように、山留壁３０と防水パネル１０との間の打設空間にコンクリートを打設しコンクリート壁４０を形成する。
【００３２】
以上の施工方法により、山留壁３０、コンクリート壁４０、防水パネル１０が一体となった地下壁が形成される。防水パネル１０の板状部材２０は構造体として利用できるので、形成される地下壁において山留壁３０、コンクリート壁４０、板状部材２０が構造体となる。よって従来よりも構造体の占める部分を増大させることができる。
【００３３】
また、防水パネル１０の板状部材２０のトラス筋１６の突出部が、コンクリート壁４０に埋設されることにより、防水パネル１０をコンクリート壁４０に定着させることができる。
【００３４】
本実施形態では、トラス筋１６の上弦材１６ａとセパレータ３６を溶接によって接続することとしたが、接続方法はこれに限定されない。例えばセパレータ３６の他端をトラス筋１６の上弦材１６ａに係止させるようにしてもよい。また、隣接する防水パネル１０間にセパレータ３６の他端を通して板状部材１２側で固定させてもよい。
【００３５】
また、本実施形態では、山留壁３０を鉄筋コンクリート壁としたが、山留壁３０はこれに限定されない。例えば、山留壁３０を鉄筋コンクリート壁内に芯材として複数本のＨ型鋼を設置した鉄骨鉄筋コンクリート壁や、鉄筋を省略した鉄骨コンクリート壁としてもよい。また、芯材として複数本のＨ型鋼を鉛直方向に打設して、隣り合うＨ型鋼間に板材を挿入して形成される親杭横矢板壁や、地面に所定深さの穴を掘る際にセメントを混入し土と攪伴してソイルセメント壁を形成し、芯材として複数本のＨ型鋼を鉛直方向に打設したソイルセメント柱列壁としてもよい。なお、親杭横矢板壁やソイルセメント柱列壁の場合、セパレータ３６の一端側の山留壁との接続は、山留壁表面に露出されるＨ型鋼のフランジ面とセパレータ３６を溶接すればよい。
【００３６】
＝＝＝第２実施形態＝＝＝
図７を参照しつつ本発明の第２実施形態について説明する。なお、第２実施形態では前述した第１実施形態で説明した防水パネル１０を適用することとし、防水パネル１０の構成、及び製造方法の説明は省略する。
【００３７】
図７（ａ）〜（ｄ）は、本発明の第２実施形態に係る防水パネル１０を用いた壁の施工方法の一例を説明するための図である。第２実施形態では防水パネル１０を外側型枠として用いて地下壁を施工する場合について説明する。図７において、Ｘ側を外側（室外側）とし、Ｙ側を内側（室内側）とする。
【００３８】
まず、図７（ａ）に示すように、地下壁の形成場所の地面を掘る。このとき、形成する地下壁の外側部分には、同図に示すように土が崩れてこない程度の勾配を設けておく。
【００３９】
次に、図７（ｂ）に示すように、板状部材１２を外側に向けて、防水パネル１０を設置する。また、内側型枠６０を、防水パネル１０との間に打設空間を設けて設置する。さらに、防水パネル１０と内側型枠６０の間にセパレータ６２を配設する。セパレータ６２の一端は、防水パネル１０のトラス筋１６の上弦材１６ａに、例えば溶接によって接続し、セパレータ６２の他端は、締付けパイプ６４によって内側型枠６０に固定する。
【００４０】
そして、図７（ｃ）に示すように、防水パネル１０と内側型枠６０との間の打設空間に、コンクリート６６′を打設する。
【００４１】
養生後、図７（ｄ）に示すように、コンクリート壁６６が形成される。そして、内側型枠６０及び締付けパイプ６４を除去し、防水パネル１０の外側の勾配部分に土を埋め戻す。
【００４２】
このように、防水パネル１０を外側型枠として用いて、防水パネル１０とコンクリート壁６６が一体となった地下壁を形成することができる。この場合、ＥＶＡシート１４は地下壁の外側部分に配置されることになるので、地下水の浸入をより効果的に防水することができる。
【００４３】
＝＝＝その他の実施形態＝＝＝
前述した防水パネル１０は、地下壁以外の壁の施工にも適用することができる。例えば、貯水槽の壁の施工に適用することができる。
【００４４】
貯水槽の壁を施工する場合、防水パネル１０を、例えば貯水槽の内側型枠として（板状部材２０を外側に向けて）配置し、さらに外側型枠（不図示）を防水パネル１０の外側に打設空間を設けて設置する。そして、打設空間にコンクリート（不図示）を打設し、養生後、外側型枠（不図示）を除去すると、内側に防水パネル１０を定着させた貯水槽を形成することができる。
【００４５】
また、第２実施形態と同様の施工方法を、地面を掘らずに実施することによって、地上における壁を施工することも可能である。
【００４６】
以上説明したように、本発明によれば、板状部材１２と、トラス筋１６、補強筋１８、１９が配設された板状部材２０と、板状部材１２と板状部材２０の間に挟着固定されたＥＶＡシート１４の３層構造となっているので、板状部材１２を薄く形成することができ、形成される壁における構造体の占める部分を増大させることができる。
【００４７】
前述した実施形態においては、防水パネル１０を壁に定着させるためにトラス筋１６を用いることとしたが、例えば、一端側を板状部材２０に埋設させ、他端側を防水パネル１０の板状部材２０の表面から突出させたアンカーを複数設けてもよい。この場合にも、板状部材２０の表面から突出したアンカーの他端側を壁に埋設させることにより、壁に定着させることができる。また、前述した実施形態においては、板状部材２０をコンクリートとし、打設空間にコンクリートを打設することとしたが、これらはコンクリートに限定されず、モルタル等のセメント系材料にしてもよい。
【００４８】
上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【図面の簡単な説明】
【００４９】
【図１】本発明の第１実施形態に係る防水パネルの構成を示す図である。
【図２】ＥＶＡシートの構造を説明するための図である。
【図３】防水パネルの製造方法の一例を示す図である。
【図４】本発明の第１実施形態に係る壁の施工方法を説明するための図である。
【図５】防水パネルとセパレータの設置状態を示す拡大側面図である。
【図６】防水パネルとセパレータの設置状態を示す拡大側面図である。
【図７】本発明の第２実施形態に係る壁の施工方法を説明するための図である。
【符号の説明】
【００５０】
１０  防水パネル
１２，２０  板状部材
１２′  モルタル
１４  ＥＶＡシート
１４ａ  シート本体
１４ｂ  起毛層
１６  トラス筋
１６ａ  上弦材
１６ｂ  斜材
１６ｃ  下弦材
１８，１９  補強筋
２０′，６６′  コンクリート
２２  形成型枠
３０  山留壁
３２  鉄筋
３６，６２  セパレータ
３８  アンカー
４０，６６  コンクリート壁
５０  バックアップ材
５２  シーリング材
６０  内側型枠
６４  締付けパイプ
【図１】
2008202304.tif 000003
【図２】
2008202304.tif 000004
【図３】
2008202304.tif 000005
【図４】
2008202304.tif 000006
【図５】
2008202304.tif 000007
【図６】
2008202304.tif 000008
【図７】
2008202304.tif 000009